(57)【特許請求の範囲】
【請求項１】
平板状の天面の両側縁に側面が略直角に折り曲げ形成された上カバーと、平板状の底面の両側縁に側面が略直角に折り曲げ形成された下カバーと、これら上下両カバー内に収納されるメカニズム本体とを備え、
前記上カバーと前記下カバーのいずれか一方の両側面から脚片を突出形成すると共に、前記上カバーと前記下カバーのいずれか他方の両側面に該脚片に係止される係止片を折り曲げ形成し、前記各脚片を両側面で水平方向に位置ずれさせたことを特徴とする磁気記録再生装置。
【請求項２】
請求項１の記載において、前記脚片がコ字状の切欠きを有すると共に、前記係止片は前記上カバーと前記下カバーのいずれか他方の両側面に打抜き形成されて該側面の垂直線に沿って内方へ折り曲げられたものからなり、この係止片を前記脚片の切欠きで上下方向から挟持することにより、前記上カバーと前記下カバーとを互いに接合・一体化したことを特徴とする磁気記録再生装置。
【発明の詳細な説明】
【０００１】
【産業上の利用分野】
本発明は磁気記録再生装置に係り、さらに詳しくは、シャーシを含むメカニズム本体が上下一対のカバーで覆われた磁気記録再生装置に関する。
【０００２】
【従来の技術】
ディスクカートリッジに内蔵された磁気ディスクに対して情報の記録再生を行う磁気記録再生装置では、メカニズム本体をシャーシを基準にしてユニット化した後、このユニット体を挾むように上下両カバーを接合・一体化することにより、メカニズム本体が両カバーで覆われるようになっている。
【０００３】
図４９と図５０はかかる磁気記録再生装置の従来例を示すものであり、図４９は上カバーと下カバーの分解斜視図、図５０は上カバーと下カバーおよびシャーシの結合状態を示す断面図である。これらの図に示すように、上カバー１００は平板状の天面１００ａと該天面１００ａの両側縁から垂下する一対の側面１００ｂとを有し、これら側面１００ｂは天面１００ａに対して直角に折り曲げ形成されている。一方の側面１００ｂの下端には下方へ突出する脚片１００ｃが２個ずつ形成されており、これら脚片１００ｃには水平方向へ延びるスリット１００ｄが形成されている。同様に、他方の側面１００ｂの下端にもスリット１００ｄを有する脚片１００ｃが２個ずつ形成されており、各脚片１００ｃは左右両側面１００ｂの同じ位置に形成されている。
【０００４】
下カバー１０１は平板状の底面１０１ａと該底面１０１ａの両側縁から起立する一対の側面１０１ｂとを有し、これら側面１０１ｂは底面１０１ａに対して直角に折り曲げ形成されている。一方の側面１０１ｂには２個の係止片１０１ｃが形成され、他方の側面１０１ｂの同一位置にも２個の係止片１０１ｃが形成されている。これら係止片１０１ｃは水平線に沿って側面１０１ｂの内方へ直角に折り曲げ形成されたものであり、各係止片１０１ｃには透孔１０１ｄが形成されている。
【０００５】
シャーシ１０２は平板状の底面１０２ａと該底面１０２ａの両側縁から起立する一対の側面１０２ｂとを有し、一方の側面１０２ｂの上端にはねじ受部１０２ｃが形成されている。このシャーシ１０２上には図示省略したローディング機構やヘッド移送機構等を含むメカニズム本体が載置されており、メカニズム本体はシャーシ１０２を基準としてユニット化されるようになっている。なお、上カバー１００と下カバー１０１およびシャーシ１０２は、鉄板等の金属板を所定形状に外形抜きした後、これに折り曲げ加工を施すことにより、上述の如くフォーミングされる。
【０００６】
磁気記録再生装置の組立に際しては、まず、下カバー１０１の各係止片１０１ｃ上にシャーシ１０２を載置し、底面１０１ａ側から挿入したねじ１０４を各透孔１０１ｄを貫通してシャーシ１０２に螺入することにより、下カバー１０１の内部にメカニズム本体のシャーシ１０２を固定する。次に、上カバー１００を下カバー１０１に被せてから水平方向へ移動し、各脚片１００ｃのスリット１００ｄ内に対応する係止片１０１ｃを嵌め込むことにより、上カバー１００を下カバー１０１に係止する。最後に、天面１００ａの外部から別のねじ１０５をねじ受部１０２ｃに螺入することにより、上カバー１００をシャーシ１０２に固定する。その結果、上カバー１００と下カバー１０１がシャーシ１０２を介して接合・一体化され、これら上下一対のカバー１００，１０１の内部にメカニズム本体が収納される。
【０００７】
【発明が解決しようとする課題】
しかしながら、前述した従来の磁気記録再生装置にあっては、上カバー１００の各脚片１００ｃが両側面１００ｂの同一位置に形成されているため、多数の上カバー１００を同一の金属板から順次プレス抜きする際に、隣接する２つの上カバー１００の側面１００ｂ間を、自身の脚片１００ｃと隣の脚片１００ｃを総和した長さ以上に離さなければならず、材料の無駄分が増えて低コスト化が妨げられるという問題があった。
【０００８】
また、係止片１０１ｃの板厚方向を脚片１００ｃのスリット１００ｄ内に嵌め込むことにより、上カバー１００と下カバー１０１とを係止するようになっているため、各係止片１０１ｃと対応するスリット１００ｄとが上下方向に正確に位置合わせされていないと、係止片１０１ｃをスリット１００ｄ内に嵌め込みにくくなる。しかしながら、各係止片１０１ｃの高さ位置は、下カバー１０１の側面１０１ｂに対する係止片１０１ｃの直角度に依存し、この直角度を正確に出すためには、加工上多くの困難を伴うという問題があった。
【００１０】
本発明は、このような従来技術の実情に鑑みてなされたもので、その目的は、上カバーまたは下カバーをプレス抜きする際のスクラップ分を少なくし、低コスト化に好適な磁気記録再生装置を提供することにある。
【００１１】
【課題を解決するための手段】
上記した目的を達成するために、本発明の磁気記録再生装置では、平板状の天面の両側縁に側面が略直角に折り曲げ形成された上カバーと、平板状の底面の両側縁に側面が略直角に折り曲げ形成された下カバーと、これら上下両カバー内に収納されるメカニズム本体とを備え、前記上カバーと前記下カバーのいずれか一方の両側面から脚片を突出形成すると共に、前記上カバーと前記下カバーのいずれか他方の両側面に該脚片に係止される係止片を折り曲げ形成し、前記各脚片を両側面で水平方向に位置ずれさせた。
【００１２】
上記の構成において、前記脚片がコ字状の切欠きを有すると共に、前記係止片は前記上カバーと前記下カバーのいずれか他方の両側面に打抜き形成されて該側面の垂直線に沿って内方へ折り曲げられたものからなり、この係止片を前記脚片の切欠きで上下方向から挟持することにより、前記上カバーと前記下カバーとを互いに接合・一体化することが好ましい。
【００１５】
【作用】
上記の如く構成された本発明の磁気記録再生装置によれば、両側面に脚片が突出形成された上カバーまたは下カバーを金属板から順次プレス抜きする際、任意の側面に形成される脚片を隣接する別の側面に形成される脚片間に位置させることにより、本来スクラップとして破棄される脚片間のプレス抜き部分を、他の上カバーまたは下カバーの脚片として利用することができ、材料の無駄を少なくすることができる。
【００１６】
また、上記の構成において、側面の垂直線に沿って内方へ折り曲げられた係止片を脚片の切欠きで上下方向から挟持するように構成すると、各係止片と対応する各切欠きの相対位置が係止片の曲げ角度に拘らず正確に維持されるため、上カバーと下カバーを簡単に一体化することができる。
【００１９】
【実施例】
以下、本発明の実施例を図に基づいて説明する。
図１〜図４７は本発明の一実施例を説明するもので、図１は磁気記録再生装置の平面図、図２は該磁気記録再生装置の正面図、図３は該磁気記録再生装置の背面図、図４は該磁気記録再生装置の側面図、図５はディスクカートリッジの平面図、図６は図１から上カバーを取り除いて示す平面図、図７はその背面図、図８はその側面図、図９は図６からホルダを取り除いて示す平面図、図１０はシャーシの平面図、図１１は該シャーシの側面図、図１２は該シャーシのガイド突起と突部を示す斜視図、図１３はスライド板の平面図、図１４は該スライド板の背面図、図１５は該スライド板の側面図、図１６はシャーシとスライド板の係合状態を示す断面図、図１７はホルダの平面図、図１８は該ホルダの背面図、図１９は該ホルダの側面図、図２０は該ホルダを母材から外形抜きする状態を示す説明図、図２１はシャッタ開閉機構の要部を示す斜視図である。
【００２０】
図１〜図４に示すように、本実施例に係る磁気記録再生装置は、互いに接合・一体化されて筐体を形成する上カバー１および下カバー２と、これら上・下カバー１，２の内部に収納されたメカニズム本体と、上・下カバー１，２の前方の開口に取付けられた前面板３とで構成されている。前面板３には横長形状の挿入口３ａが穿設されると共に、後述するイジェクト釦４が出入可能に配設されている。また、前面板３の裏側には扉５が回動可能に支承されており、この扉５は図示せぬ捩じりコイルばねによって挿入口３ａを閉塞する方向に付勢されている。
【００２１】
上記磁気記録再生装置に用いられるディスクカートリッジ６は公知のもので、図５に示すように、硬質プラスチックで成形されたカートリッジケース７と、このカートリッジケース７の内部に回転自在に収納された磁気ディスク８と、カートリッジケース７の一側縁に沿って往復移動可能なシャッタ９とで構成されている。カートリッジケース７の一隅はテーパ状に切り落されており、当該個所が誤挿入防止部７ａとなっている。シャッタ９はコの字状に折り曲げられており、その上下両面に長方形の窓孔９ａが形成され、カートリッジケース７にもこれら窓孔９ａに対応する開口７ｂが形成されている。このシャッタ９は図示せぬバネによって開口７ｂを閉鎖する方向へ付勢されているが、ディスクカートリッジ６が前面板３の挿入口３ａから内部に挿入されると、後述するシャッタ開閉機構によって開口７ｂと窓孔９ａとが一致する方向へ移動され、これら開口７ｂと窓孔９ａから磁気ディスク８が露出するようになっている。
【００２２】
図６〜図９に示すように、前記メカニズム本体は、下カバー２の上面に固定されたシャーシ１０と、このシャーシ１０上面に前後進可能に載置されたスライド板１１と、このスライド板１１に保持されたホルダ１２等で構成されている。以下、これらシャーシ１０とスライド板１１およびホルダ１２の具体的構成について説明する。
【００２３】
前記シャーシ１０は、母材である鉄板の上下両面に亜鉛メッキを施したものが用いられている。図１０〜図１２に示すように、このシャーシ１０の前後両端には起立壁１０ａ，１０ｂがそれぞれ折り曲げ形成されており、前方の起立壁１０ａの近傍に円形孔１０ｃが穿設されている。円形孔１０ｃの周囲にはＬ字形状をなす複数のガイド突起１０ｄが底面に対して直角に折り曲げ形成されており、このガイド突起１０ｄはシャーシ１０の片側について２個ずつ、左右両側で４個形成されている。シャーシ１０の底面には複数の突部１０ｅが上方に向けて突出形成されており、これら突部１０ｅは各ガイド突起１０ｄの近傍、好ましくは１０ｍｍ以内に配置されている。各突部１０ｅはシャーシ１０を板厚方向にプレス加工することによって形成され、前述したように、シャーシ１０には予め亜鉛メッキが施されているため、各突部１０ｅは表面に亜鉛メッキが施された平坦面を有することになる。また、シャーシ１０の底面には複数の補強用リブ１０ｆが形成されると共に、前記ディスクカートリッジ６の下降位置を規定する２つのストッパ突起１０ｇや、後方の起立壁１０ｂと所定間隔を存して対向する支持壁１０ｈ等が折り曲げ形成されている。さらに、シャーシ１０の左右両側面には切欠き１０ｉが形成され、後方の起立壁１０ｂにはねじ孔１０ｊが形成されている。
【００２４】
前記スライド板１１も前記シャーシ１０と同様に、母材である鉄板の上下両面に亜鉛メッキを施したものが用いられている。図１３〜図１５に示すように、このスライド板１１は断面Ｕ状に折り曲げ形成されており、その底面中央に開口１１ａが穿設されている。また、スライド板１１の前後端には取付片１１ｂと係止爪１１ｃとがそれぞれ折り曲げ形成されており、この取付片１１ｂに前記イジェクト釦４が取付けられるようになっている。さらに、スライド板１１の底面には複数のガイド孔１１ｄと１つの挿通孔１１ｆが穿設されており、スライド板１１の側面には片側について２個ずつ、左右両側で４個のカム溝１１ｅが形成されている。このスライド板１１は各ガイド孔１１ｄを前記ガイド突起１０ｄと一方のストッパ突起１０ｇに挿入し、他方のストッパ突起１０ｇを挿通孔１１ｆに挿入した状態で前記シャーシ１０上に載置され、各ガイド孔１１ｄが対応するガイド突起１０ｄによって上下方向と左右方向に位置規制されることにより、シャーシ１０の前後方向にのみ移動できるようになっている（図９参照）。その際、図１６に示すように、スライド板１１の下面はシャーシ１０に形成された各突部１０ｅの上面を摺動し、これらスライド板１１の下面と突部１０ｅの上面には共に亜鉛メッキが施されているため、スライド板１１をシャーシ１０に対して滑らかに摺動させることができる。
【００２５】
前記ホルダ１２も前記シャーシ１０やスライド板１１と同様に、母材である鉄板の上下両面に亜鉛メッキを施したものが用いられている。図１７〜図１９に示すように、このホルダ１２は断面逆Ｕ状に折り曲げ形成されており、その両側面の下端にホルダ１２の上面と所定間隔を存して対向する支持片１２ａが折り曲げ形成されている。ホルダ１２の上面には上方に若干膨らんだ膨出部１２ｂが形成されており、この膨出部１２ｂには後端に向かって延びる平面視凹状の長孔１２ｃと円弧状の逃孔１２ｄとが形成されている。膨出部１２ｂの近傍には抜け止め突起１２ｅが折り曲げ形成されると共に、係止孔１２ｆが穿設されている。また、ホルダ１２の上面前端には平面視凸状のストッパ突片１２ｇが形成されており、このストッパ突片１２ｇの幅寸法Ｗ１は長孔１２ｃの幅寸法Ｗ２以下（Ｗ１≦Ｗ２）に設定されている。さらに、ホルダ１２の側面には片側について２個ずつ、左右両側で４個の突起１２ｈが形成されると共に、下方へ延びる垂下片１２ｉが形成されている。
【００２６】
図２０に示すように、前記ホルダ１２は平板状の母材（亜鉛メッキを施した鉄板）をプレスで外形抜きした後、これに折り曲げ加工等を施すことにより、前述の如き形状にフォーミングされる。かかる外形抜き時に、ストッパ突片１２ｇの幅寸法Ｗ１と長孔１２ｃの幅寸法Ｗ２との関係がＷ１≦Ｗ２に設定されているため、任意のホルダ１２に形成されるストッパ突片１２ｇを隣接する別のホルダ１２に形成される長孔１２ｃ内に位置させることにより、母材から生じるスクラップを極力少なくすることができる。すなわち、凹状の長孔１２ｃを外形抜きする際に母材に残る凸状部分は本来スクラップとして廃棄されるものであるが、当該部分を別のホルダ１２のストッパ突片１２ｇとして利用できるため、母材の無駄分を少なくすることができる。
【００２７】
図６〜図９に戻り、前記ホルダ１２は前記スライド板１１の両側面間に挿入され、ホルダ１２の上面とスライド板１１の一側面との間には引っ張りばね１３が掛合されている。ここで、ホルダ１２の垂下片１２ｉはスライド板１１の底面を貫通して前記シャーシ１０の切欠き１０ｉ内に挿入され、これら垂下片１２ｉと切欠き１０ｉとの係合によりホルダ１２はシャーシ１０に対して上下方向にのみ移動できるよう規制されており、一方、前述したように、スライド板１１はシャーシ１０の前後方向にのみ移動可能であるため、スライド板１１は引っ張りばね１３によってシャーシ１０の前端方向へ付勢されている。また、スライド板１１とホルダ１２の後方には回動部材１４が配置されており、この回動部材１４はシャーシ１０に植設された支軸１５に回転可能に支承され、捩じりコイルばね１６によって図６の反時計回り方向に付勢されている。
【００２８】
前記回動部材１４はプラスチックの成形材からなり、図２１に示すように、この回動部材１４は、支軸１５に挿入される筒状の軸部１４ａと、この軸部１４ａから側方へ突出する一対の腕部１４ｂ，１４ｃとを有している。軸部１４ａの上端には鉤形をなす一対の支持壁１４ｄ，１４ｅが形成されており、これら支持壁１４ｄ，１４ｅの周囲に前記捩じりコイルばね１６が巻回されている。その際、両支持壁１４ｄ，１４ｅ間に軸線方向に延びる一対のスリット１４ｆが形成され、かつ、一方の支持壁１４ｅが他方の支持壁１４ｆよりも厚肉に形成されているため、薄肉側の支持壁１４ｅを撓めることにより、捩じりコイルばね１６の巻回部分を両支持壁１４ｄ，１４ｅ間に容易に挿入できるようになっている。また、一方の腕部１４ｂの先端にはシャッタ開閉ピン１４ｇが立設されており、このシャッタ開閉ピン１４ｇは前記逃孔１２ｄを貫通してホルダ１２の上方に達し、該シャッタ開閉ピン１４ｇに前記捩じりコイルばね１６の一端が掛止されている。さらに、他方の腕部１４ｃの先端にはロック爪１４ｈが形成されており、このロック爪１４ｈは前記スライド板１１の係止爪１１ｃと係脱可能である。なお、捩じりコイルばね１６の他端は前記ホルダ１２の抜け止め突起１２ｅを通り、その先端に形成された折曲部１６ａが係止孔１２ｆに掛止されている。
【００２９】
図２２はヘッド移送機構の平面図、図２３は該ヘッド移送機構の断面図、図２４は該ヘッド移送機構に備えられるキャリッジの平面図、図２５は該キャリッジの裏面図、図２６は該キャリッジの背面図、図２７は図２５のＡ−Ａ線に沿う断面図、図２８は該キャリッジへフォロワばねを取付ける状態を示す説明図、図２９は該キャリッジのヘッド取付部を示す斜視図、図３０は該キャリッジと下側磁気ヘッドの取付け状態を長手方向から見た断面図、図３１はその短手方向から見た断面図、図３２は該ヘッド移送機構に備えられるホールドケースの平面図、図３３は該ホールドケースとキャリッジの取付け部分を示す要部平面図、図３４は図３３のＢ−Ｂ線に沿う断面図である。
【００３０】
前記シャーシ１０の後部にはヘッド移送機構１７が配置されており、図２２，２３に示すように、このヘッド移送機構１７はキャリッジ１８と該キャリッジ１８の上方にヒンジ結合されたホールドケース１９とで構成されている。これらキャリッジ１８とホールドケース１９は共にプラスチック材で成形されており、キャリッジ１８の上面には下側磁気ヘッド２０が、ホールドケース１９の下面には上側磁気ヘッド２１がそれぞれ固定されている。
【００３１】
図２４〜図２７に示すように、前記キャリッジ１８の後部には段付状の連結部１８ａが形成されており、この連結部１８ａの上面には、円形溝１８ｂ、ねじ孔１８ｃ、規制突部１８ｄ、一対の位置決めピン１８ｅ、ばね受部１８ｆ、Ｌ字状のばね支持部１８ｇ等が形成されている。また、前記連結部１８ａの裏側には、下面を開放した凹部１８ｈと、該凹部１８ｈを介して対向する一対の支持部１８ｉと、凹部１８ｈに向かって傾斜するガイド部１８ｊとが形成されており、一方の支持部１８ｉにはねじ孔１８ｋと位置決めピン１８ｌが設けられている。前記両支持部１８ｉの下面はほぼ同一平面を形成し、これら支持部１８ｉ間に２点鎖線で示すフォロワばね２２が固定されるようになっている。
【００３２】
このフォロワばね２２の取付けに際しては、図２８に示すように、まず、前記キャリッジ１８を逆さにした状態で、フォロワばね２２を連結部１８ａの裏側から両支持部１８ｉ上に落とし込み、該フォロワばね２２の位置決め孔２２ａを位置決めピン１８ｌに挿入する。しかる後、ねじ２３をフォロワばね２２の透孔２２ｂを挿通してねじ孔１８ｋに螺入し、該ねじ２３を締め付けることにより、フォロワばね２２はキャリッジ１８の連結部１８ａ裏面に取付固定される。その際、凹部１８ｈの開口端にはガイド部１８ｊが形成されているため、フォロワばね２２は該ガイド部１８ｊに沿って両支持部１８ｉ上に確実に落とし込まれ、フォロワばね２２を簡単に取付けることができる。
【００３３】
図２２〜図２７に戻り、前記キャリッジ１８の一側部には貫通孔１８ｍが形成されており、この貫通孔１８ｍが前記シャーシ１０に固定されたガイドシャフト２４に挿通されることにより、キャリッジ１８はシャーシ１０の前後方向に案内されている。また、キャリッジ１８の他側部にはＬ字状腕１８ｎが形成されており、このＬ字状腕１８ｎはスクリューシャフト２５の上方を通り、シャーシ１０上に配設されたフォトインタラプタ等からなる検出部２６まで達している。前記Ｌ字状腕１８ｎの裏面には凸部１８ｏが刻設されており、この凸部１８ｏは前記フォロワばね２２の弾発力を受けてスクリューシャフト２５と螺合している。前記スクリューシャフト２５は前記シャーシ１０の後方の起立壁１０ｂに取付けられたステッピングモータ２７の回転軸であり、該スクリューシャフト２５の先端はシャーシ１０の前記支持壁１０ｈに軸支されている。したがって、ステッピングモータ２７を駆動源としてスクリューシャフト２５が回転すると、該スクリューシャフト２５の回転が凸部１８ｏを介してキャリッジ１８に伝達され、該キャリッジ１８がシャーシ１０の前後方向、すなわち、前記磁気ディスク８の半径方向へ移動される。また、その際に、Ｌ字状腕１８ｎの先端が検出部２６を横切ると、ゼロトラック信号が出力される。
【００３４】
図２９〜図３１に示すように、前記キャリッジ１８の先端中央部には取付台１８ｐが形成されており、この取付台１８ｐの周囲は窪み部１８ｑとなっている。取付台１８ｐの上面にはキャリッジ１８の長手方向に延びる接着剤充填溝１８ｒと、該接着剤充填溝１８ｒを介して対向する逃げ溝１８ｓとが形成され、該取付台１８ｐの両側部には貫通孔１８ｔが形成されており、前記接着剤充填溝１８ｒの一端は他の部分に比べて幅寸法が大きい円形の幅広部となっている。このように構成された取付台１８ｐ上には前記下側磁気ヘッド２０が載置され、該下側磁気ヘッド２０は前記接着剤充填溝１８ｒに充填された接着剤２８によって取付台１８ｐに固定されている。その際、接着剤充填溝１８ｒの一端に形成された円形の幅広部は下側磁気ヘッド２０より外方に位置しており、この幅広部から注入された接着剤２８は接着剤充填溝１８ｒを通って下側磁気ヘッド２０と取付台１８ｐとの間に確実に充填される。また、接着剤充填溝１８ｒは下側磁気ヘッド２０の下面中央に沿って延びているため、下側磁気ヘッド２０は取付台１８ｐに対してバランス良く接着固定される。さらに、下側磁気ヘッド２０は薄肉コア部２０ａと厚肉コア部２０ｂとを有しているが、厚肉コア部２０ｂに比べて剛性の低い薄肉コア部２０ａは、接着剤充填溝１８ｒを跨いで両逃げ溝１８ｓ上に位置し、接着剤充填溝１８ｒから下側磁気ヘッド２０の下面を通って流出する余剰の接着剤２８がこれら逃げ溝１８ｓ内に溜められるようになっている。その結果、薄肉コア部２０ａと取付台１８ｐとの接触面積が少なくなるため、薄肉コア部２０ａが接着剤２８の硬化によって破損することが防止される。
【００３５】
なお、接着剤２８によって下側磁気ヘッド２０を取付台１８ｐに固定した後、必要に応じて、下側磁気ヘッド２０の周囲にＵＶ樹脂等の接着剤２９を塗布すると、下側磁気ヘッド２０は取付台１８ｐに一層確実に固定される（図３０参照）。そして、このようにキャリッジ１８の取付台１８ｐ上に接着固定された下側磁気ヘッド２０はＦＰＣ（フレキシブルプリント基板）３０に接続され、該ＦＰＣ３０は前記窪み部１８ｑを通って後述するプリント基板まで導かれるようになっている。
【００３６】
図３２に示すように、前記ホールドケース１９の上面にはばね受部１９ａが形成されると共に、その両側部には第１支持腕１９ｂと第２支持腕１９ｃとが突出形成されている。第１支持腕１９ｂの下面は第２支持腕１９ｃの下面に対して低い位置にあり、本実施例の場合、第１支持腕１９ｂの先端を下方へ向けてＬ字状に形成することにより、第１支持腕１９ｂの先端が第２支持腕１９ｃより下方へ突出するようになっている。また、ホールドケース１９の後端部には弾性金属板からなるリーフヒンジばね３１が設けられており、これらホールドケース１９とリーフヒンジばね３１はアウトサート成形によって一体化されている。さらに、ホールドケース１９の先端部にはジンバルばねを介して前記上側磁気ヘッド２１が固定されており、この上側磁気ヘッド２１も図示省略したＦＰＣを介して後述するプリント基板まで導かれるようになっている。
【００３７】
このように構成されたホールドケース１９は、図２２，２３に示すように、前記キャリッジ１８の連結部１８ａ上にリーフヒンジばね３１と取付板３２とを重ね合わせて載置した後、上方から止めねじ３３を連結部１８ａのねじ孔１８ｃに螺入することにより、キャリッジ１８の連結部１８ａ上にヒンジ結合される。その際、図２６に示すように、リーフヒンジばね３１の一側縁をキャリッジ１８のばね支持部１８ｇの基部に形成された切り込み１８ｕ内に挿通して連結部１８ａに載置することにより、該ばね支持部１８ｇによってリーフヒンジばね３１の一側縁が押さえられている。この状態で、ホールドケース１９を止めねじ３３の締付力に抗して微小回転し、下側磁気ヘッド２０と上側磁気ヘッド２１のアライメントを調整した後、キャリッジ１８の円形溝１８ｂに接着剤３４を充填することにより、リーフヒンジばね３１が連結部１８ａに仮固定される。この場合、図３３，３４に示すように、リーフヒンジばね３１は円形溝１８ｂをほぼ半分だけ覆うように連結部１８ａに載置されるため、該円形溝１８ｂの露出部分から接着剤３４をキャリッジ１８とリーフヒンジばね３１との間に容易に充填することができる。また、リーフヒンジばね３１の取付板３２に切欠き３２ａが形成されているため、余剰の接着剤３４は該切欠き３２ａ内に溜められ、接着剤３４の不所望なはみ出しが防止される。なお、上記仮固定が終了した後、止めねじ３３を強く締め付けて本固定されるが、この場合、リーフヒンジばね３１は接着剤３４によって連結部１８ａに仮固定されているため、下側磁気ヘッド２０と上側磁気ヘッド２１のアライメントは維持される。
【００３８】
前記取付板３２は金属平板をプレス抜きすることによって形成されたものであり、該プレス抜きの際に取付板３２の一方の面にバリが発生する。このバリの高さは不均一であり、仮りに、バリが発生した面を裏にして取付板３２をキャリッジ１８の連結部１８ａに載置した場合、止めねじ３３の締付力がリーフヒンジばね３１に均一に作用しなくなる。そこで、本実施例では、図２２に示すように、取付板３２の一隅に切り落とし部３２ｃを形成し、この切り落とし部３２ｃ内に前記キャリッジ１８の規制突部１８ｄを位置させることにより、取付板３２に方向性を持たせてある。したがって、取付板３２をキャリッジ１８の連結部１８ａに載置した状態では、常にバリが上を向くようになり、取付板３２を逆にした状態でキャリッジ１８に組み込めないようになっている。
【００３９】
再び図２２に戻り、前記キャリッジ１８のばね支持部１８ｇにはロードスプリング３５の巻回部分が挿入されており、該ロードスプリング３５の両自由端をばね受部１８ｆ，１９ａにそれぞれ掛止することにより、ホールドケース１９はキャリッジ１８に向けて弾性付勢されている。前記ロードスプリング３５は捩じりコイルばねからなり、その巻回部分から両自由端までの長さｌ１，ｌ２はほぼ等しい長さに設定されている。このため、ロードスプリング３５を組み込む際に、その向きを気にする必要がなくなり、作業性の向上が図られている。また、ホールドケース１９は前記ホルダ１２の長孔１２ｃ内に位置しており、該ホールドケース１９に設けられた２つの支持腕１９ｂ，１９ｃのうち、第１支持腕１９ｂはロードスプリング３５の弾発力を受けてホルダ１２の膨出部１２ｂと当接し、第２支持腕１９ｃと膨出部１２ｂ間には所定のクリアランスが確保されている。その際、第１支持腕１９ｂに対して第２支持腕１９ｃがリーフヒンジばね３１から遠い位置に形成されているため、第２支持腕１９ｃと膨出部１２ｂ間に必要とされるクリアランスを確保した上で、第２支持腕１９ｃの厚さ寸法を可及的に大きくすることができるようになっている。さらに、第１支持腕１９ｂはガイドシャフト２４のほぼ真上でホルダ１２の膨出部１２ｂと当接し、該ガイドシャフト２４から離れた位置でヘッド移送機構１７がフォロワばね２２によって弾性的に支持されているため、ばね力が小さいフォロワばね２２を用いても、キャリッジ１８を含むヘッド移送機構１７の浮き上がりを防止することができる。
【００４０】
図３５は前記シャーシを裏側から見た図であり、同図に示すように、シャーシ１０の下面にはサブシャーシ３６と前述したプリント基板３７とが固定されている。サブシャーシ３６上にはスピンドルモータ３８が搭載されており（図９参照）、このスピンドルモータ３８は制御基板やＦＰＣを介してプリント基板３７と電気的に接続されている。プリント基板３７には前記ステッピングモータ２７やスピンドルモータ３８等の駆動回路用素子等を含む回路素子が実装されると共に、図９に示すように、その上面後端部には２つのコネクタ３９，４０が取付けられている。これらコネクタ３９，４０は複数の接続ピン３９ａ，４０ａを有する雄コネクタであり、２点鎖線で示す外部機器の雌コネクタ４１をこれらコネクタ３９，４０に挿入することにより、磁気記録再生装置は外部機器に接続されるようになっている。
【００４１】
図３６は前記上カバーの平面図、図３７は該上カバーの背面図、図３８は該上カバーの側面図、図３９は前記下カバーの平面図、図４０は該下カバーの背面図、図４１は該下カバーの側面図である。
【００４２】
図３６〜図３８に示すように、前記上カバー１は平板状の天面１ａと該天面１ａの両側縁から垂下する一対の側面１ｂおよび天面１ａの後端から垂下する背面１ｃとを有し、これら側面１ｂと背面１ｃは天面１ａに対して直角に折り曲げ形成されている。背面１ｃには透孔１ｄが形成され、一方の側面１ｂの下端にはＬ字状をなす脚片１ｅが２個、他方の側面１ｂの下端にはＬ字状をなす脚片１ｅと角形の垂下片１ｆが１個ずつ形成されている。側面１ｂの下端と各脚片１ｅの先端との間にはコ字状の切欠き１ｇが形成されており、各切欠き１ｇは同一高さ位置にある。また、各脚片１ｅと垂下片１ｆの形成位置は両側面１ｂ，１ｂで水平方向に位置ずれ、すなわち、図３８に示すような互いに上カバー１の前後方向に位置ずれした状態となっており、したがって、上カバー１を金属平板の母材から多数個取りする際、図４８に示すように、任意の上カバー１に形成される脚片１ｅや垂下片１ｆを、別の上カバー１に形成される両脚片１ｅ間または脚片１ｅと垂下片１ｆ間に位置させることにより、母材から生じるスクラップを極力少なくすることができる。
【００４３】
図３９〜図４１に示すように、前記下カバー２は平板状の底面２ａと該底面２ａの両側縁から起立する一対の側面２ｂおよび底面２ａの後端から起立する背面２ｃとを有し、これら側面２ｂと背面２ｃは底面２ａに対して直角に折り曲げ形成されている。下カバー２の底面２ａの奥行き寸法は前記上カバー１の天面２ａの奥行き寸法より大きく設定されており、上カバー１はその短寸分だけ材料の削減と軽量化が図られている。また、背面２ｃの高さ寸法は各側面２ｂに対して十分に小さく設定されており、該背面２ｃの上端には一対の規制壁２ｄが突設されている。一方の側面２ｂには２個の係止片２ｅが形成され、他方の側面２ｂには１個の係止片２ｅと透孔２ｆを有する折り曲げ片２ｇが形成されている。これら係止片２ｅは垂直線に沿って側面２ｂの内方へ略直角に折り曲げ形成されたものである。また、各側面２ｂには開口を介して対向する支持片２ｈと止片２ｉの組が、片側について２組ずつ左右両側で４組形成されている。各組における支持片２ｈと止片２ｉは上下方向に位置ずれしており、止片２ｉの下端は上方へ向かって傾斜している。該止片２ｉはプレス抜きされた状態であるが、支持片２ｈはプレス抜き後に垂直線に沿って側面２ｂの内方へ略直角に折り曲げられている。
【００４４】
このように構成された下カバー２に対して前記メカニズム本体を固定した後、下カバー２に上カバー１を被せて両者１，２を互いに接合・一体化することにより、前述の如く、磁気記録再生装置の筐体が形成される。この場合、図４２に示すように、まず、組立が完了したメカニズム本体のシャーシ１０を下カバー２の内部に挿入して各支持片２ｈ上に載置した後、各止片２ｉを側面２ｂの内方へ略直角に折り曲げ、それぞれの止片２ｉと支持片２ｈの組でシャーシ１０を挾持する。その際、止片２ｉと支持片２ｈの組は同一の開口内で外形抜きされており、いずれも高い寸法制度が確保されているため、各組における止片２ｉと支持片２ｈの高さは一定に保たれている。したがって、止片２ｉと支持片２ｈの折り曲げ角度に拘らず、下カバー２の底面２ａに対してシャーシ１０を平行に取付けることができる。図６〜図８はこの状態を示すものであり、これらの図から明らかなように、プリント基板３７上に取付けられたコネクタ３９，４０の側方に下カバー２の規制壁２ｄが位置する。
【００４５】
次いで、図４３（ａ）に示すように、下カバー２の両側面２ｂの内側に上カバー１の両側面１ｂを挿入し、上カバー１を下カバー２の後端方向（矢印方向）に押し込むと、図４３（ｂ）に示すように、各脚片１ｅの切欠き１ｇ内に下カバー２の対応する各係止片２ｅが入り込み、上カバー１が下カバー２に結合される。この場合、脚片１ｅの切欠き１ｇとそこに係止される係止片２ｅは上カバー１や下カバー２の母材をプレス抜きしたものであるから、いずれも高い寸法精度が確保されており、したがって、各係止片２ｅの折り曲げ角度にかかわらず、各脚片１ｅは対応する係止片２ｅに確実に係止される。また、係止片２ｅをプレス抜きした際に形成される開口が脚片１ｅによって塞がれるため、防塵や磁気シールドが図られている。しかる後、図４４に示すように、ねじ４２を上カバー１と下カバー２の透孔１ｄ，２ｆを挿通してシャーシ１０のねじ孔１０ｊに螺入すると、シャーシ１０を含むメカニズム本体と下カバー２および上カバー１の三者が互いに接合・一体化される。
【００４６】
図１〜図４はこの状態を示すものであり、これらの図から明らかなように、メカニズム本体の大部分は上下カバー１，２によって覆われるが、プリント基板３７上に取付けられたコネクタ３９，４０と、シャーシ１０の起立壁１０ｂに取付けられたステッピングモータ２６とは、上カバー１の後端から外方へ露出し、下カバー２の後端部上方の開放部分に位置している。また、前述したように、下カバー２の背面２ｃに形成された両規制壁２ｄが各コネクタ３９，４０の側方に位置する。したがって、外部機器の雌コネクタ４１をこれらコネクタ３９，４０に挿入する際、雌コネクタ４１は規制壁２ｄによって横方向のズレが規制され、雌コネクタ４１をコネクタ３９，４０に対して容易に挿入することができる。さらに、ステッピングモータ２６の取付位置を調整する必要が生じた場合は、この調整作業をステッピングモータ２６の上方の広い空間を利用して行うことができる。
【００４７】
本実施例に係る磁気記録再生装置は上記したように構成されており、次に、その動作について説明する。
【００４８】
ディスクカートリッジ６の未装着状態において、回動部材１４は捩じりコイルばね１６に弾性付勢されて図６の位置にあり、該回動部材１４のロック爪１４ｈがスライド板１１の係止爪１１ｃに係合することにより、スライド板１１は後退位置に保たれている。この場合、図４５に示すように、ホルダ１２の各突起１２ｈはスライド板１１の各カム溝１１ｅの上端に係止され、ホルダ１２は上昇位置に保たれている。
【００４９】
ディスクカートリッジ６を前面板３の挿入口３ａから内部に挿入すると、ディスクカートリッジ６によって扉５が回動されるが、この扉５の過度の回動はホルダ１２のストッパ突片１２ｇと当接することにより規制される。ディスクカートリッジ６をさらに挿入し、ホルダ１２の上面と支持片１２ａとの間を通って回動部材１４のシャッタ開閉ピン１４ｇに突き当てると、その挿入途中で、捩じりコイルばね１６の折曲部１６ａはテーパ状の誤挿入防止部７ａによって外方へ逃がされる。なお、ディスクカートリッジ６の天地を逆にして誤挿入した場合は、カートリッジケース７の先端が折曲部１６ａに当接するため、ディスクカートリッジ６をそれ以上挿入することができないようになっている。
【００５０】
さらに、ディスクカートリッジ６を内部に挿入すると、図４７に示すように、回動部材１４は捩じりコイルばね１６の弾性力に抗して図６の時計回り方向に回転し、ディスクカートリッジ６の先端部分はヘッド移送機構１７のキャリッジ１８とホールドケース１９との間に入り込む。そして、この回動部材１４の回転に伴い、シャッタ開閉ピン１４ｇがホルダ１２の透孔１２ｄ内を回動するため、該シャッタ開閉ピン１４ｇによってシャッタ９が移動され、カートリッジケース７内の磁気ディスク８が開口７ｂと窓孔９ａから露出する。また、前記回動部材１４の回転に伴い、ロック爪１４ｈと係止爪１１ｃの係止が解除されるため、スライド板１１が引っ張りばね１３によって前進位置へ移動され、スライド板１１の取付板１１ｃに固定されたイジェクト釦４が前面板３から突出する。その結果、図４５に示すように、ホルダ１２の各突起１２ｈがスライド板１１の各カム溝１１ｅの下端へ移動し、ホルダ１２はディスクカートリッジ６と共に下降位置、すなわち、ローディング位置へと移動する。また、ホルダ１２の膨出部１２ｂに第１支持腕１９ｂが当接しているため、ホルダ１２の下降に伴い、ロードスプリング３５に付勢されたホールドケース１９も下降し、キャリッジ１８側の下側磁気ヘッド２０とホールドケース１９側の上側磁気ヘッド２１がそれぞれ磁気ディスク８に接触する。ここで、ホルダ１２の膨出部１２ｂに当接するのは第１支持腕１９ｂのみであり、その反力がリーフヒンジばね３１に捩じりモーメントとして作用するが、前述したように、リーフヒンジばね３１の一側縁がばね支持部１８ｇの切り込み１８ｕによって押さえられているため、リーフヒンジばね３１の変形が防止されている。なお、万が一、落下等によって大きな外力が作用した場合は、ホールドケース１９の第２支持腕１９ｃがホルダ１２の膨出部１２ｂに衝当するため、両磁気ヘッド２０，２１が衝突して破損しないようになっている。
【００５１】
このようにしてディスクカートリッジ６がローディング位置まで移動された後、ステッピングモータ２７を駆動してスクリューシャフト２５を回転させると、該スクリューシャフト２５の回転がねじ部１８ｏを介してキャリッジ１８に伝達され、ヘッド移送機構１７はガイドシャフト２４に沿って磁気ディスク８の半径方向へ移動する。また、スピンドルモータ３８を駆動することにより磁気ディスク８が回転し、該磁気ディスク８に対して下側磁気ヘッド２０および上側磁気ヘッド２１から情報の記録／再生が行われる。
【００５２】
また、ローディング位置にあるディスクカートリッジ６を排出する場合は、前面板３より突出するイジェクト釦４を押圧し、スライド板１１を引っ張りばね１３の弾性力に抗して後退位置へ移動する。すると、ホルダ１２は図４６のローディング位置から図４５に示すアンローディング位置へと上昇し、図４７の反時計回り方向に回動する回動部材１４によって、ディスクカートリッジ６が前面板３の挿入口３ａから排出されると共に、回動部材１４のロック爪１４ｈがスライド板１１の係止爪１１ｃに係止することにより、スライド板１１が再び後退位置に保たれる。
【００５３】
なお、上記実施例では、上カバーに脚片を形成し、下カバーに係止片を形成した場合について説明したが、これとは逆に、上カバーに係止片を形成し、下カバーに脚片を形成することも可能である。
【００５４】
【発明の効果】
以上説明したように、本発明によれば、両側面に脚片が突出形成された上カバーまたは下カバーを金属板から順次プレス抜きする際、任意の側面に形成される脚片を隣接する別の側面に形成される脚片間に位置させることにより、本来スクラップとして破棄される脚片間のプレス抜き部分を、他の上カバーまたは下カバーの脚片として利用することができ低コスト化に好適な磁気記録再生装置を提供できる。
【００５５】
また、上記の構成において、側面の垂直線に沿って内方へ折り曲げられた係止片を脚片の切欠きで上下方向から挟持するように構成すると、各係止片と対応する各切欠きの相対位置が係止片の曲げ角度に拘らず正確に維持されるため、上カバーと下カバーを簡単に一体化することができる。
【図面の簡単な説明】
【図１】本発明の一実施例に係る磁気記録再生装置の平面図である。
【図２】該磁気記録再生装置の正面図である。
【図３】該磁気記録再生装置の背面図である。
【図４】該磁気記録再生装置の側面図である。
【図５】ディスクカートリッジの平面図である。
【図６】図１から上カバーを取り除いて示す平面図である。
【図７】その背面図である。
【図８】その側面図である。
【図９】図６からホルダを取り除いて示す平面図である。
【図１０】該磁気記録再生装置に備えられるシャーシの平面図である。
【図１１】該シャーシの側面図である。
【図１２】該シャーシのガイド突起と突部を示す斜視図である。
【図１３】該磁気記録再生装置に備えられるスライド板の平面図である。
【図１４】該スライド板の背面図である。
【図１５】該スライド板の側面図である。
【図１６】該スライド板とシャーシの係合状態を示す断面図である。
【図１７】該磁気記録再生装置に備えられるホルダの平面図である。
【図１８】該ホルダの背面図である。
【図１９】該ホルダの側面図である。
【図２０】該ホルダを母材から外形抜きする状態を示す説明図である。
【図２１】該磁気記録再生装置に備えられるシャッタ開閉機構の要部を示す斜視図である。
【図２２】該磁気記録再生装置に備えられるヘッド移送機構の平面図である。
【図２３】該ヘッド移送機構の断面図である。
【図２４】該ヘッド移送機構に備えられるキャリッジの平面図である。
【図２５】該キャリッジの裏面図である。
【図２６】該キャリッジの背面図である。
【図２７】図２５のＡ−Ａ線に沿う断面図である。
【図２８】該キャリッジへフォロワばねを取付ける状態を示す説明図である。
【図２９】該キャリッジのヘッド取付部を示す斜視図である。
【図３０】該キャリッジと下側磁気ヘッドの取付け状態を長手方向から見た断面図である。
【図３１】その短手方向から見た断面図である。
【図３２】該ヘッド移送機構に備えられるホールドケースの平面図である。
【図３３】該ホールドケースとキャリッジの取付け部分を示す要部平面図である。
【図３４】図３３のＢ−Ｂ線に沿う断面図である。
【図３５】図１０のシャーシを裏側から見た図である。
【図３６】該磁気記録再生装置に備えられる上カバーの平面図である。
【図３７】該上カバーの背面図である。
【図３８】該上カバーの側面図である。
【図３９】該磁気記録再生装置に備えられる下カバーの平面図である。
【図４０】該下カバーの背面図である。
【図４１】該下カバーの側面図である。
【図４２】該下カバーとシャーシの固定関係を示す説明図である。
【図４３】上カバーと下カバーの組立工程を示す説明図である。
【図４４】上カバーと下カバーおよびシャーシの固定部分を示す要部断面図である。
【図４５】アンローディング時のホルダとスライド板の関係を示す説明図である。
【図４６】ローディング時のホルダとスライド板の関係を示す説明図である。
【図４７】図６のローディング状態を示す平面図である。
【図４８】上カバーを母材から外形抜きする状態を示す説明図である。
【図４９】従来例に係る上カバーと下カバーの分解斜視図である。
【図５０】図４９の上カバーと下カバー間にシャーシを組み込んだ状態を示す断面図である。
【符号の説明】
１  上カバー
１ａ  天面
１ｂ  側面
１ｅ  脚片
１ｆ  垂下片
１ｇ  切欠き
２  下カバー
２ａ  底面
２ｂ  側面
２ｅ  係止片
２ｈ  支持片
２ｉ  止片
５  扉
６  ディスクカートリッジ
７  カートリッジケース
７ａ  誤挿入防止部
８  磁気ディスク
９  シャッタ
１０  シャーシ
１０ｄ  ガイド突起
１０ｅ  突部
１１  スライド板
１１ｃ  係止爪
１１ｄ  ガイド孔
１１ｅ  カム溝
１２  ホルダ
１２ｃ  長孔
１２ｆ  係止孔
１２ｇ  ストッパ突片
１２ｈ  突起
１３  引っ張りばね
１４  回動部材
１４ａ  軸部
１４ｂ，１４ｃ  腕部
１４ｄ，１４ｅ  支持壁
１４ｆ  スリット
１４ｇ  シャッタ開閉ピン
１４ｈ  ロック爪
１６  捩じりコイルばね
１６ａ  折曲部
１７  ヘッド移送機構
１８  キャリッジ
１８ａ  連結部
１８ｂ  円形溝
１８ｃ，１８ｋ  ねじ孔
１８ｄ  規制突部
１８ｅ，１８ｌ  位置決めピン
１８ｆ  ばね受部
１８ｇ  ばね支持部
１８ｈ  凹部
１８ｉ  支持部
１８ｊ  ガイド部
１８ｐ  取付台
１８ｑ  窪み部
１８ｒ  接着剤充填溝
１８ｓ  逃げ溝
１８ｕ  切り込み
１９  ホールドケース
１９ａ  ばね受部
１９ｂ  第１支持腕
１９ｃ  第２支持腕
２０  下側磁気ヘッド
２０ａ  薄肉コア部
２０ｂ  厚肉コア部
２１  上側磁気ヘッド
２２  フォロワばね
２３  ねじ
２４  ガイドシャフト
２５  スクリューシャフト
２７  ステッピングモータ
２８  接着剤
３１  リーフヒンジばね
３２  取付板
３２ａ  切欠き
３２ｃ  切り落とし部
３３  止めねじ
３４  接着剤
３５  ロードスプリング
３７  プリント基板
３９，４０  コネクタ
４１  雌コネクタ
４２  ねじ
【図１】
0003614216.tif 000002
【図２】
0003614216.tif 000003
【図３】
0003614216.tif 000004
【図４】
0003614216.tif 000005
【図５】
0003614216.tif 000006
【図６】
0003614216.tif 000007
【図７】
0003614216.tif 000008
【図８】
0003614216.tif 000009
【図９】
0003614216.tif 000010
【図１０】
0003614216.tif 000011
【図１１】
0003614216.tif 000012
【図１２】
0003614216.tif 000013
【図１３】
0003614216.tif 000014
【図１４】
0003614216.tif 000015
【図１５】
0003614216.tif 000016
【図１６】
0003614216.tif 000017
【図１７】
0003614216.tif 000018
【図１８】
0003614216.tif 000019
【図１９】
0003614216.tif 000020
【図２０】
0003614216.tif 000021
【図２１】
0003614216.tif 000022
【図２２】
0003614216.tif 000023
【図２３】
0003614216.tif 000024
【図２４】
0003614216.tif 000025
【図２５】
0003614216.tif 000026
【図２６】
0003614216.tif 000027
【図２７】
0003614216.tif 000028
【図２８】
0003614216.tif 000029
【図２９】
0003614216.tif 000030
【図３０】
0003614216.tif 000031
【図３１】
0003614216.tif 000032
【図３２】
0003614216.tif 000033
【図３３】
0003614216.tif 000034
【図３４】
0003614216.tif 000035
【図３５】
0003614216.tif 000036
【図３６】
0003614216.tif 000037
【図３７】
0003614216.tif 000038
【図３８】
0003614216.tif 000039
【図３９】
0003614216.tif 000040
【図４０】
0003614216.tif 000041
【図４１】
0003614216.tif 000042
【図４２】
0003614216.tif 000043
【図４３】
0003614216.tif 000044
【図４４】
0003614216.tif 000045
【図４５】
0003614216.tif 000046
【図４６】
0003614216.tif 000047
【図４７】
0003614216.tif 000048
【図４８】
0003614216.tif 000049
【図４９】
0003614216.tif 000050
【図５０】
0003614216.tif 000051